(57)【要約】【課題】所望の撮影モードで撮影された画像を効率的に再生することが可能な撮像装置を提供する。【解決手段】撮像装置１Ａは、撮影モードの設定状態を切り換える撮影モードダイヤル２１と、画像を表示するＬＣＤ３１と、ＬＣＤ３１における表示動作を制御する表示制御手段とを備える。表示制御手段は、画像再生表示の際における撮影モードダイヤル２１による撮影モードの設定状態と、撮影画像の撮影モードに関する情報とに基づいて、ＬＣＤ３１における再生対象画像を絞り込む。【選択図】図１
2006270332.tif 000002
【特許請求の範囲】
【請求項１】
撮像装置であって、
撮影モードの設定状態を切り換える設定手段と、
画像を表示する表示手段と、
前記表示手段における表示動作を制御する表示制御手段と、
を備え、
前記表示制御手段は、画像再生表示の際における前記設定手段による撮影モードの設定状態と、撮影画像の撮影モードに関する情報とに基づいて、前記表示手段における再生対象画像を絞り込むことを特徴とする撮像装置。
【請求項２】
請求項１に記載の撮像装置において、
前記表示制御手段は、画像再生表示の際に前記設定手段によって設定されている撮影モードと同一の撮影モードで撮影された撮影画像を、前記再生対象画像として抽出することを特徴とする撮像装置。
【請求項３】
請求項１または請求項２に記載の撮像装置において、
前記設定手段は、モード切換用ダイヤルを有し、
前記表示制御手段は、画像再生表示の際に前記モード切換用ダイヤルによって設定されている撮影モードに基づいて、前記再生対象画像を絞り込むことを特徴とする撮像装置。
【請求項４】
請求項１から請求項３のいずれかに記載の撮像装置において、
前記撮影画像に関する撮影モードの情報は、前記撮影画像のファイル名から取得されることを特徴とする撮像装置。
【請求項５】
請求項１から請求項４のいずれかに記載の撮像装置において、
前記撮影画像に関する撮影モードの情報は、前記撮影画像の格納先のフォルダ名から取得されることを特徴とする撮像装置。
【請求項６】
請求項１から請求項５のいずれかに記載の撮像装置において、
前記撮影画像に関する撮影モードの情報は、前記撮影画像のタグ情報から取得されることを特徴とする撮像装置。
【請求項７】
請求項１から請求項６のいずれかに記載の撮像装置において、
前記撮影モードは、動画撮影モードまたは静止画撮影モードを含むことを特徴とする撮像装置。
【請求項８】
請求項１から請求項６のいずれかに記載の撮像装置において、
前記撮影モードは、ポートレートモード、スポーツモード、風景モード、夕景モード、および夜景モードのうちの少なくとも１つのモードを含むことを特徴とする撮像装置。
【発明の詳細な説明】
【技術分野】
【０００１】
本発明は、デジタルスチルカメラおよびデジタルビデオカメラなどの撮像装置に関し、特に撮像装置における画像再生技術に関する。
【背景技術】
【０００２】
デジタルスチルカメラおよびデジタルビデオカメラなどの撮像装置においては、ＣＣＤなどの撮像素子を用いて撮影画像を取得するとともに、撮影した画像を撮像装置に設けられた表示部において再生表示することが行われる。画像再生表示の際には、撮影済みの複数の画像がその撮影順序（撮影時順）に従って順次に表示される。
【０００３】
また、撮像装置においては、様々な撮影モード（例えば、動画モード、ポートレートモードおよびスポーツモード等）が存在し、設定された撮影モードでの撮影画像が取得される。
【０００４】
なお、関連する技術として、特許文献１，２等に記載の技術が存在する。特許文献１，２に記載の技術は、基本的には、各種の撮影モードによる撮影画像の「記録」に関する技術であり、撮影画像の再生に関する技術ではない。また、特許文献２には、再生に関する記載も一部存在するが、具体的にどのように再生動作を行うのか不明である。
【０００５】
【特許文献１】特開平６−２３３２２５号公報
【特許文献２】特開２００３−２０９７２５号公報
【発明の開示】
【発明が解決しようとする課題】
【０００６】
ところで、一般的に、従来の撮像装置においては、各種の撮影モードによる撮影済みの複数の画像が全て再生対象とされ、それら複数の画像がその撮影順序（撮影時順）に従って順次に表示される。
【０００７】
したがって、例えば、撮影画像として動画と静止画とが混在する場合には、当該両者が混在する画像群に含まれる複数の画像が撮影順序に従って順次に表示されるため、動画だけを再生対象としたい場合でも、静止画を送り飛ばしながら動画が表示されるのを待つ必要がある。すなわち、動画モードで撮影した画像（動画像）のみを効率的に閲覧することが困難である。同様に、ポートレートモードによる撮影画像とスポーツモードによる撮影画像とが混在する場合も、当該両者が混在する画像群に含まれる複数の画像がその撮影順序に従って順次に表示されるため、或るモードで撮影した画像のみを効率的に閲覧することが困難である。
【０００８】
そこで、この発明の課題は、所望の撮影モードで撮影された画像を効率的に再生することが可能な撮像装置を提供することにある。
【課題を解決するための手段】
【０００９】
上記課題を解決すべく、請求項１の発明は、撮像装置であって、撮影モードの設定状態を切り換える設定手段と、画像を表示する表示手段と、前記表示手段における表示動作を制御する表示制御手段とを備え、前記表示制御手段は、画像再生表示の際における前記設定手段による撮影モードの設定状態と、撮影画像の撮影モードに関する情報とに基づいて、前記表示手段における再生対象画像を絞り込むことを特徴とする。
【００１０】
請求項２の発明は、請求項１の発明に係る撮像装置において、前記表示制御手段は、画像再生表示の際に前記設定手段によって設定されている撮影モードと同一の撮影モードで撮影された撮影画像を、前記再生対象画像として抽出することを特徴とする。
【００１１】
請求項３の発明は、請求項１または請求項２の発明に係る撮像装置において、前記設定手段は、モード切換用ダイヤルを有し、前記表示制御手段は、画像再生表示の際に前記モード切換用ダイヤルによって設定されている撮影モードに基づいて、前記再生対象画像を絞り込むことを特徴とする。
【００１２】
請求項４の発明は、請求項１から請求項３のいずれかの発明に係る撮像装置において、前記撮影画像に関する撮影モードの情報は、前記撮影画像のファイル名から取得されることを特徴とする。
【００１３】
請求項５の発明は、請求項１から請求項４のいずれかの発明に係る撮像装置において、前記撮影画像に関する撮影モードの情報は、前記撮影画像の格納先のフォルダ名から取得されることを特徴とする。
【００１４】
請求項６の発明は、請求項１から請求項５のいずれかの発明に係る撮像装置において、前記撮影画像に関する撮影モードの情報は、前記撮影画像のタグ情報から取得されることを特徴とする。
【００１５】
請求項７の発明は、請求項１から請求項６のいずれかの発明に係る撮像装置において、前記撮影モードは、動画撮影モードまたは静止画撮影モードを含むことを特徴とする。
【００１６】
請求項８の発明は、請求項１から請求項６のいずれかの発明に係る撮像装置において、前記撮影モードは、ポートレートモード、スポーツモード、風景モード、夕景モード、および夜景モードのうちの少なくとも１つのモードを含むことを特徴とする。
【発明の効果】
【００１７】
請求項１から請求項８に記載の発明によれば、画像再生表示の際における設定手段による撮影モードの設定状態と、撮影画像の撮影モードに関する情報とに基づいて、表示手段における再生対象画像が絞り込まれるので、所望の撮影モードで撮影された画像を的確に表示させることができる。
【００１８】
特に、請求項３に記載の発明によれば、モード切換用ダイヤルによる撮影モードの設定状態に基づいて再生対象画像が選択されるので、操作が容易であり、且つ、非常に直感的で判りやすい。
【発明を実施するための最良の形態】
【００１９】
以下、本発明の実施形態を図面に基づいて説明する。
【００２０】
＜１．第１実施形態＞
＜全体構成＞
図１は、第１実施形態に係る撮像装置１Ａを示す斜視図である。図１に示すように、撮像装置１Ａは、撮影レンズ２と、液晶ディスプレイ（以下、ＬＣＤとも称する）３１と、電子ビューファインダ（以下、ＥＶＦとも称する）３２と、メモリーカードの挿入口１９とを備える。
【００２１】
また、撮像装置１Ａは、操作部材２０（図２参照）として、撮影モードダイヤル２１、コントロールボタン２２、メニューボタン２４、切換レバー２７、電源ボタン２８、およびシャッタボタン２９などを有している。このうち、撮影モードダイヤル２１およびシャッタボタン２９は、本体上面に設けられており、コントロールボタン２２、メニューボタン２４、切換レバー２７および電源ボタン２８は、本体背面に設けられている。また、コントロールボタン２２は、詳細には、十字カーソルボタン２２ａ〜２２ｄおよび決定ボタン２２ｅで構成される。
【００２２】
電源ボタン２８がユーザ（操作者）によって押下されると、この押下動作に応じて電源のオン状態とオフ状態とが切り換えられる。また、切換レバー２７を回動して所定の位置に移動させることによって、撮影状態と再生状態とが切り換えられる。詳細には、撮影状態は、ＬＣＤ３１を用いて被写体を視認する状態と、ＥＶＦ３２を用いて被写体を視認する状態との２つに区別して設定される。
【００２３】
また、メニューボタン２４がユーザ（操作者）によって押下されると、これに応じて各種メニュー画面がＬＣＤ３１に表示される。また、十字カーソルボタン２２ａ〜２２ｄおよび決定ボタン２２ｅを用いて、ＬＣＤ３１における表示カーソルを４方向に移動させて所定の項目を選択することができる。このようなメニュー選択操作によって、各種撮影パラメータの設定操作等が行われる。
【００２４】
撮影モードダイヤル２１は、回転式の操作部材であり、撮影モード（後述）の設定状態を切り換える機能を有している。ユーザ（操作者）は、撮影モードダイヤル２１を所望の位置に回転させることによって撮影モードを切り換え、所望の撮影モードを選択することができる。この撮影モードダイヤル２１は、撮影モードの切り換えに用いられることから、「モード切換用ダイヤル」とも称することができる。
【００２５】
シャッタボタン２９はユーザ（操作者）による半押し状態Ｓ１（以下、Ｓ１状態とも称する）と全押し状態Ｓ２（以下、Ｓ２状態とも称する）とを区別して検出可能な２段階押し込みスイッチである。たとえば、静止画の撮影時においては、シャッタボタン２９が半押し状態Ｓ１にされると、自動合焦制御等が開始され、シャッタボタン２９が全押し状態Ｓ２にされると、記録用画像を撮影するための本撮影動作が開始され本撮影画像が取得される。
【００２６】
次に、図２を参照しつつ、撮像装置１Ａの内部構成について説明する。図２は、撮像装置１Ａの内部機能を示すブロック図である。
【００２７】
撮像素子５は、被写体像を撮影して電子的な画像信号を生成する機能を有している。撮像素子５は、複数（例えば１６００×１２００個）の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００２８】
撮像素子５から得られる画像信号はプリプロセス回路１０に与えられる。プリプロセス回路１０は、アナログ信号処理回路とＡ／Ｄ変換器とを有している。アナログ信号処理回路において画像信号（アナログ信号）に対して所定のアナログ信号処理が施される。具体的には、アナログ信号処理回路は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。また、Ａ／Ｄ変換器は、画像信号の各画素信号を所定ビット数（例えば１２ビット）のデジタル信号に変換するものである。変換後のデジタル信号は、画像データとして一時的にＲＡＭ４２内のバッファメモリに格納される。そして、バッファメモリに格納された画像データに対して、ＷＢ（ホワイトバランス）処理、γ補正処理、色補正処理等、および圧縮処理等が、画像処理回路１２によって全体制御部４０の制御下で施される。画像処理回路１２は、ＷＢ処理、γ補正処理、圧縮伸長処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮伸長処理は、画像データの圧縮処理および伸張処理である。圧縮方式としては、例えばＪＰＥＧ方式などが採用される。これらの各処理は、画像メモリ１１を適宜利用して実行される。本撮影画像は、これらの処理が施された後、メモリカード９０に格納される。
【００２９】
全体制御部４０は、内部にＣＰＵ４１とＲＡＭ４２とＲＯＭ４３とを備えたマイクロコンピュータによって構成され、マイクロコンピュータが所定のプログラムを実行することにより、上記各部を統括的に制御する。なお、ＲＡＭ４２は、高速アクセス可能な半導体メモリ（たとえばＤＲＡＭ）であり、ＲＯＭ４３は電気的にデータの書き換えが可能な不揮発性の半導体メモリ（たとえばフラッシュＲＯＭ）として構成される。
【００３０】
全体制御部４０は、表示制御部４７等の各種の機能処理部を有している。これらの各種処理部は、マイクロコンピュータが所定のプログラムを実行することにより機能的に実現される。
【００３１】
表示制御部４７は、ＬＣＤ３１およびＥＶＦ３２における表示動作を制御する機能を有している。表示制御部４７の制御下で、ＬＣＤ３１は、撮影状態においては本撮影動作前のプレビュー表示（ライブビュー表示とも称する）等を行い、再生状態においては記録済みの画像（本撮影画像）の再生表示等を行う。ＬＣＤ３１は、所定数（ここでは３２０×２４０）の表示画素を有しており、カラー画像を表示することができる。
【００３２】
また、全体制御部４０は、レンズドライバ２ｄおよびレンズ駆動機構２ｃを介して撮影レンズ２のフォーカスレンズおよびズームレンズを駆動し、自動合焦動作およびズーム倍率変更動作（画角変更動作）を行う。また、全体制御部４０は、露出制御ドライバ６ｄを介して絞り１３の絞り値およびフラッシュ６の発光を制御するとともに撮像素子ドライバ５ｄを介して撮像素子におけるシャッタスピード（露光時間）を制御することによって、自動露光制御動作等を行う。
【００３３】
さらに、撮像装置１Ａは、外部接続用のインタフェース（外部接続Ｉ／Ｆ）部３３を有している。この外部接続Ｉ／Ｆ部３３は通信ケーブル等を介して外部コンピュータ９１と通信可能にするためのインタフェースであり、例えばＵＳＢ規格に準拠した通信用インタフェース等で実現される。
【００３４】
＜撮影モード＞
つぎに、撮像装置１Ａにおける撮影モードについて説明する。
【００３５】
この撮像装置１Ａは、動画を撮影する「動画撮影モード（動画モード）」と、静止画を撮影する「静止画撮影モード（静止画モード）」とを有している。静止画撮影モードは、ここではさらに１０個のサブモードに分類される。１０個のサブモードは、「フルオートモード」、「ポートレートモード」、「スポーツモード」、「風景モード」、「夕景モード」、「夜景モード」、「Ｐ（プログラム）モード」、「Ａ（絞り優先）モード」、「Ｓ（シャッタスピード優先）モード」、「Ｍ（マニュアル）モード」である。以上のように、撮像装置１Ａは、合計１１種類の撮影モードを有している。これら１１種類の撮影モードは、撮影モードダイヤル２１の回動動作に応じて切り換えられて設定される。
【００３６】
図３は、撮影モードダイヤル２１を示す上面図である。図３に示すように、撮影モードダイヤル２１は、その上面に１１個の絵文字５０〜６０を有しており、各絵文字５０〜６０は、上述の各撮影モードに対応している。そして、撮影モードダイヤル２１を回転させて、所望の撮影モードに対応する絵文字を指標６９に合わせることによって、撮像装置１Ａの撮影モードが所望の撮影モードに設定される。上記の１１種類の撮影モードを用いた撮影態様は、下記（１）〜（４）の４つの撮影態様に大別される。
【００３７】
（１）目的のシーンを操作者が選択して撮影する場合には、「ポートレートモード」、「スポーツモード」、「風景モード」、「夕景モード」、「夜景モード」のいずれかによる撮影モードが設定される。たとえば、絵文字５１を指標６９に合わせると、撮影モードが「ポートレートモード」に設定される。ポートレートモードにおいては、人物撮影に最適な撮影パラメータが設定されて、撮影画像が取得される。また、絵文字５２を指標６９に合わせると、撮影モードが「スポーツモード」に設定される。スポーツモードにおいては、動きの激しいシーンに最適な撮影パラメータが設定されて、撮影画像が取得される。さらに、絵文字５３を指標６９に合わせると、撮影モードが「風景モード」に設定される。風景モードにおいては、風景シーンに最適な撮影パラメータが設定されて、撮影画像が取得される。また、絵文字５４を指標６９に合わせると、撮影モードが「夕景モード」に設定される。夕景モードにおいては、夕景シーンに最適な撮影パラメータが設定されて、撮影画像が取得される。さらに、絵文字５５を指標６９に合わせると、撮影モードが「夜景モード」に設定される。夜景モードにおいては、夜景シーンに最適な撮影パラメータが設定されて、撮影画像が取得される。
【００３８】
（２）シーン選択を撮像装置１Ａに任せて撮影する場合、換言すれば、全自動（フルオート）で撮影する場合には「フルオートモード」が設定される。具体的には、絵文字５０を指標６９に合わせると、撮影モードが「フルオートモード」に設定される。フルオートモードにおいては、シャッタボタン２９が半押し状態Ｓ１にまで押下された時点で、被写体に関する撮影シーンを撮像装置１Ａが自動判別して最適な撮影パラメータを設定する。具体的には、対象被写体に関する撮影シーンが、「ポートレート」、「スポーツ」、「風景」、「夕景」、および「夜景」のいずれに該当するかが判別されて、撮影パラメータが設定される。
【００３９】
（３）露出モードを設定して撮影する場合には、「Ｐ（プログラム）モード」、「Ａ（絞り優先）モード」、「Ｓ（シャッタスピード優先）モード」、「Ｍ（マニュアル）モード」のいずれかの撮影モードが設定される。たとえば、絵文字５６を指標６９に合わせると、撮影モードが「Ｐ（プログラム）モード」に設定される。これによれば、シャッタスピードと絞り値とが自動的に決定されて、撮影画像が取得される。また、絵文字５７を指標６９に合わせると、撮影モードが「Ａ（絞り優先）モード」に設定される。これによれば、撮影者が絞り値を所望の値に設定した上で、撮像装置１Ａがシャッタスピードを自動的に決定して、撮影画像が取得される。また、絵文字５８を指標６９に合わせると、撮影モードが「Ｓ（シャッタスピード優先）モード」に設定される。これによれば、撮影者がシャッタスピードを所望の値に設定した上で、撮像装置１Ａが絞り値を自動的に決定して、撮影画像が取得される。また、絵文字５９を指標６９に合わせると、撮影モードが「Ｍ（マニュアル）モード」に設定される。これによれば、撮影者がシャッタスピードと絞り値とをそれぞれ所望の値に設定した上で、撮影画像が取得される。
【００４０】
（４）また、動画を撮影する場合には、「動画撮影モード」が設定される。具体的には、絵文字６０を指標６９に合わせると、撮影モードが「動画撮影モード」に設定される。動画撮影モードにおいては、シャッタボタン２９が半押し状態Ｓ１にまで押下された時点でＡＦ動作が行われ、シャッタボタン２９が全押し状態Ｓ２にまで押下された時点で動画像撮影が開始される。その後、シャッタボタン２９が全押し状態Ｓ２にまで再押下された時点で、動画像の撮影が終了する。
【００４１】
＜画像ファイル＞
図４は、撮影画像を格納するメモリカード９０内のフォルダ構成（ディレクトリ構成）等を概念的に示す図である。この実施形態においては、撮影された各画像は、カメラファイルシステム規格（ＤＣＦ：Design rule for Camera File System）に準拠した画像ファイルとしてメモリカード９０に保存される。
【００４２】
メモリカード９０においては、図４に示すように、ルートフォルダの下にフォルダ「DCIM」が作成され、このフォルダ「DCIM」の下に撮影画像フォルダが作成される。ここでは、「撮影画像フォルダ」（「記録フォルダ」とも称する）として、複数のフォルダ「100ABCDE」、「102ABCDE」、「103PQRST」が作成されている場合を想定している。これらの撮影画像フォルダのフォルダ名は適宜に定められる。またここでは、複数の撮影画像フォルダが作成される場合を示しているが、単一の撮影画像フォルダのみが作成されてもよい。その場合には、単一のフォルダ内に全ての撮影画像ファイルが格納されることになる。
【００４３】
各撮影画像ファイルは、これらの「撮影画像フォルダ」のいずれかに格納される。各撮影画像ファイルをいずれのフォルダに格納するかは、所定の基準にしたがって決定される。例えば、ここでは、同一撮影年月日の画像ファイルを、同一の撮影画像フォルダ内に格納するものとする。
【００４４】
図４においては、撮像装置１Ａによる撮影動作を繰り返すことによって、メモリカード９０内に、「AUTO0001.JPG」，「PTRT0002.JPG」，「SPRT0003.JPG」，「LAND0004.JPG」，...，「SNST0123.JPG」，「NIGH0124.JPG」，「P＿XP0125.JPG」，「A＿XP0126.JPG」，「S＿XP0127.JPG」，「M＿XP0128.JPG」，「MOVE0129.JPG」，「MOVE0130.JPG」，「LAND0131.JPG」，「NIGH0132.JPG」，...という名称の各ファイルがこの順序で作成されて格納されている場合を例示している。このうち、「AUTO0001.JPG」から「MOVE0129.JPG」の各ファイルはフォルダ「100ABCDE」に格納され、「MOVE0130.JPG」および「LAND0131.JPG」の各ファイルはフォルダ「102ABCDE」に格納され、ファイル「NIGH0132.JPG」はフォルダ「103PQRST」に格納されている。なお、本願明細書では表記の都合上、ファイル名に用いられるアンダーバー（＿）を全角文字で表しているが、実際には半角文字で表される。ただし、これに限定されず、ファイル名（およびフォルダ名）は、ファイルシステムの制約の範囲内であれば、全角文字あるいは半角文字のいずれを用いて表記されるものであってもよい。
【００４５】
各撮影画像ファイルの名称は、所定の命名規則にしたがって決定される。具体的には、各撮影画像ファイルの名称は、「SPRT0003.JPG」などのように、先頭の８文字（SPRT0003）とそれに続くピリオド（.）と３文字の拡張子（JPG）とで構成されている。
【００４６】
拡張子「JPG」は、当該撮影画像ファイルがＪＰＥＧ形式の静止画像ファイルであることを示しており、拡張子「MOV」は、当該撮影画像ファイルがMotionJpeg形式（モーションＪＰＥＧ形式）の動画像ファイルであることを示している。
【００４７】
また、先頭の８文字のうち、後半の４つの数字は撮影画像（撮影ファイル）の作成順に連続的に付与されるシリアル番号である。
【００４８】
さらに、先頭の８文字のうち、前半の４つのアルファベットは、撮影時における撮影モードダイヤル２１による設定状態（ないし設定内容）を表している。ここで、「AUTO」は「フルオートモード」、「PTRT」は「ポートレートモード」、「SPRT」は「スポーツモード」、「LAND」は「風景モード」、「SNST」は「夕景モード」、「NIGH」は「夜景モード」、「P＿XP」は「Ｐ（プログラム）モード」、「A＿XP」は「Ａ（絞り優先）モード」、「S＿XP」は「Ｓ（シャッタスピード優先）モード」、「M＿XP」は「Ｍ（マニュアル）モード」、「MOVE」は「動画撮影モード」による撮影画像ファイルであることを示している。
【００４９】
以上のようにして、撮影画像の撮影モードに関する情報を、当該撮影画像のファイル名に含ませることができる。
【００５０】
＜再生動作＞
図５は再生動作に関するフローチャートである。切換レバー２７および電源ボタン２８によって撮像装置１Ａが電源オン状態且つ再生状態にされると、図５に示すような再生動作が開始される。
【００５１】
まず、ステップＳＰ１１において、撮像装置１Ａは、撮影モードダイヤル２１の位置を確認し、画像再生表示の際における撮影モードダイヤル２１による撮影モードの設定状態を取得する。たとえば、撮影モードダイヤル２１の絵文字５１が指標６９に合わされている場合には、撮影モードに関して「ポートレートモード」が指定されているものと判定する。そして、撮像装置１Ａは、再生表示の対象となる画像（以下、「再生対象画像」とも称する）を、現在撮影モードダイヤル２１によって指定（設定）されている撮影モード（ここでは「ポートレートモード」）による撮影画像のみに絞り込んで表示すべき旨の指示が操作者から与えられたものとして認識する。
【００５２】
つぎに、ステップＳＰ１２において、表示制御部４７によって、表示画像が決定されＬＣＤ３１に表示される。具体的には、表示制御部４７は、ステップＳＰ１１で求められた撮影モードダイヤル２１の位置と、メモリカード９０内の各撮影画像の撮影モードに関する情報とに基づいて、再生対象画像を抽出する。また、各撮影画像に関する撮影モードの情報は、当該各撮影画像のファイル名から読み出されて取得される。
【００５３】
たとえば、撮影モードダイヤル２１によって「ポートレートモード」が指定されている場合には、ポートレートモードによる撮影画像のみが再生対象画像として絞り込まれる。具体的には、撮像装置１Ａは、そのファイル名の先頭４文字が「PTRT」である撮影画像ファイルを再生対象画像として抽出する。ポートレートモード以外の撮影モードによる撮影画像ファイルは再生対象から除外される。
【００５４】
なお、ポートレートモードによる撮影画像が複数存在する場合には、そのうち例えば最新のものを最初の表示画像として選択すればよい。
【００５５】
このように、表示制御部４７は、画像再生表示の際における撮影モードダイヤル２１による撮影モードの設定状態と、メモリカード９０内の撮影画像の撮影モードに関する情報とに基づいて、ＬＣＤ３１における再生対象画像を絞り込む。詳細には、画像再生表示の際に撮影モードダイヤル２１によって設定されている撮影モードと同一の撮影モードで撮影された撮影画像を、メモリカード９０内の複数の撮影画像の中から再生対象画像として抽出する。そして、抽出された画像の中から、１つの画像が表示画像として決定される。
【００５６】
ステップＳＰ１４では終了判定が行われる。切換レバー２７の操作によって撮影状態に切り換えられるべき旨の指示が与えられるか、あるいは、電源ボタン２８の操作によって電源オフの指示が与えられると、このルーチンは終了する。
【００５７】
また、ステップＳＰ１５において、撮影モードダイヤル２１あるいは十字カーソルボタン２２ｃ，２２ｄのいずれかが押下されたと判定されると、再びステップＳＰ１１に戻って、画像更新動作が行われる。
【００５８】
たとえば、十字カーソルボタン２２ｃが押下されると、ポートレートモードによる撮影画像のうち、より小さなシリアル番号を有する画像が表示画像として選択されて表示される（ステップＳＰ１２）。また、十字カーソルボタン２２ｄが押下されると、ポートレートモードによる撮影画像のうち、より大きなシリアル番号を有する画像が表示画像として選択されて表示される（ステップＳＰ１２）。このようにして、撮影モードダイヤル２１によって指定された撮影モード（ここではポートレートモード）による撮影画像のみが表示画像として順送りあるいは逆送りで順次に表示されることになる。
【００５９】
また、撮影モードダイヤル２１が回転された場合には、回転後の撮影モードダイヤル２１の位置が再び取得され（ステップＳＰ１１）、当該回転後の位置に対応する撮影モードによる撮影画像が選択されてＬＣＤ３１に表示される（ステップＳＰ１２）。これによって、撮影モードダイヤル２１の変更後の設定状態に基づいて、再生対象画像が絞り込まれる。たとえば、変更後において、撮影モードダイヤル２１によって「風景モード」が設定されている場合には、撮像装置１Ａは、そのファイル名の先頭４文字が「LAND」である撮影画像ファイルを再生対象画像として抽出する。風景モード以外の撮影モードによる撮影画像ファイルは再生対象から除外される。
【００６０】
なお、撮影画像が日付等の基準によって複数のフォルダに分かれて保存されている場合にも、同じ撮影モードによる撮影画像を撮影日付に依らず全て再生対象とすることが好ましい。たとえば、撮影モードダイヤル２１によって風景モードが選択されている場合には、風景モードの撮影画像である「LAND0004.JPG」と「LAND0131.JPG」とを含む複数の撮影画像ファイルが、十字カーソルボタン２２ｃ，２２ｄの操作に応じて、ＬＣＤ３１に順次に表示される。したがって、別フォルダに分かれて保存されている「LAND0004.JPG」と「LAND0131.JPG」とを連続的に表示させることが可能になる。すなわち、撮影日付が異なるために別フォルダに分かれて保存されている画像をも、再生対象にすることができる。
【００６１】
また、上記では、ステップＳＰ１２において、撮影モードダイヤル２１によって「ポートレートモード」あるいは「風景モード」が指定されている場合等を例示したが、その他の撮影モードが撮影モードダイヤル２１によって指定されている場合も同様である。
【００６２】
たとえば、「スポーツモード」が撮影モードダイヤル２１によって指定されている場合には、メモリカード９０内に格納された複数の撮影画像ファイルのうち、ファイル名の先頭４文字が「SPRT」である撮影画像ファイルのみが選択されて表示される。「夕景モード」、「夜景モード」、「Ｐ（プログラム）モード」、「Ａ（絞り優先）モード」、「Ｓ（シャッタスピード優先）モード」、「Ｍ（マニュアル）モード」についても同様である。
【００６３】
また、「動画撮影モード」が撮影モードダイヤル２１によって指定されている場合も、同様に、メモリカード９０内に格納された複数の撮影画像ファイルのうち、ファイル名の先頭４文字が「MOVE」である撮影画像ファイル（動画像ファイル）のみが選択されて表示される。
【００６４】
さらに、「フルオートモード」が撮影モードダイヤル２１によって指定されている場合も、同様に、メモリカード９０内に格納された複数の撮影画像ファイルのうち、ファイル名の先頭４文字が「AUTO」である撮影画像ファイルのみが選択されて表示される。
【００６５】
以上のように、この実施形態に係る撮像装置１Ａによれば、画像再生表示の際における撮影モードダイヤル２１による撮影モードの設定状態（指定状態）と、撮影画像のファイル名に含まれる撮影モードに関する情報とに基づいて、ＬＣＤ３１に表示すべき画像が選択される。したがって、所望の撮影モードによる撮影画像を的確に表示させることができる。また、このような分類再生動作は撮像装置１Ａによって自動的に実行されるので、分類のために人手を要することなく、撮影モード別の検索動作を容易に実現することができる。
【００６６】
特に、画像再生表示の際に撮影モードダイヤル２１によって設定されている撮影モードと同一の撮影モードで撮影された撮影画像が、メモリカード９０内の複数の撮影画像の中から再生対象画像として抽出されるので、メモリカード９０に格納された複数の撮影画像の中から、所望の撮影モードによる撮影画像のみを選択して的確に表示させることができる。また、非常に直感的な操作で実現することができるので、操作者によって判りやすい。
【００６７】
また特に、再生対象画像を絞り込むに際して、撮影モードダイヤル２１という回転操作部材が用いられているので、操作が容易であり、且つ、非常に直感的で判りやすい。
【００６８】
なお、上記実施形態においては、「フルオートモード」で撮影された画像に対して、「AUTO」で始まるファイル名を付与したがこれに限定されない。たとえば、「フルオートモード」による撮影画像のうち、ポートレートシーンであると判定されて撮影された画像には、「APTR」で始まるファイル名を付与するようにしてもよい。「APTR」のうち、最初の「A」は「フルオートモード」で撮影されたものであることを示し、次の「PTR」はポートレートシーンと判定されて撮影された画像であることを示している。同様に、「フルオートモード」による撮影画像のうち、スポーツシーンであると判定されて撮影された画像には「ASPR」で始まるファイル名を付与し、風景シーンであると判定されて撮影された画像には「ALAN」で始まるファイル名を付与し、夕景シーンであると判定されて撮影された画像には「ASNS」で始まるファイル名を付与し、夜景シーンであると判定されて撮影された画像には「ANIG」で始まるファイル名を付与するようにしてもよい。このような命名規則によれば、「フルオートモード」による撮影画像であることと、撮像装置１Ａによるシーン自動判定結果との両方の情報をファイル名に含ませることができる。そして、「フルオートモード」が撮影モードダイヤル２１によって指定されている場合には、メモリカード９０内に格納された複数の撮影画像ファイルのうち、ファイル名の先頭１文字が「A」である撮影画像ファイルのみを選択して表示することによって、上記実施形態と同様の効果を得ることができる。
【００６９】
＜２．第２実施形態＞
また、上記第１実施形態においては、撮影画像の撮影モードに関する情報を、当該撮影画像のファイル名に含ませる場合を例示したが、これに限定されない。たとえば、撮影画像のタグ情報に含ませる場合に上記の思想を適用するようにしてもよい。
【００７０】
この第２実施形態においては、タグ情報に含まれる「撮影モードに関する情報」を用いて、所望の撮影画像のみを的確に表示する場合を例示する。なお、以下では、説明の重複を回避するため、第１実施形態との相違点を中心に説明する。
【００７１】
図６は、１つの撮影画像ファイルの構成を概念的に示す図である。図６に示すように、各撮影画像ファイルは、所定形式（たとえばＥｘｉｆ形式）のファイルとして作成される。具体的には、各撮影画像のファイルは、タグ情報ＴＧと、高解像度の画像データ（例えば、１６００×１２００画素の画像信号）ＤＰと、サムネイル表示用の低解像度の画像データ（例えば、８０×６０画素の画像信号）ＤＭとを有している。また、タグ情報ＴＧには、「ファイル名」、「撮影日時」、「撮影モードに関する情報」などの情報が含まれている。「撮影モードに関する情報」は、たとえば、各撮影モードに１対１で対応する番号（もしくは記号）等で表現される。詳細には、「フルオートモード」には０（ゼロ）を、「ポートレートモード」には１を、「スポーツモード」には２を対応させることができる。その他のモードについても同様である。
【００７２】
第２実施形態に係る撮像装置１Ｂは、再生時において、各撮影画像ファイルのタグ情報ＴＧから、この「撮影モードに関する情報」を読み出すことによって、各撮影画像ファイルの撮影モードを取得する。すなわち、上記第１実施形態のようにファイル名に基づいて「撮影モードに関する情報」を取得する代わりに、タグ情報ＴＧに基づいて「撮影モードに関する情報」を取得する。
【００７３】
そして、撮像装置１Ｂの表示制御部４７は、画像再生表示の際における撮影モードダイヤル２１による撮影モードの設定状態と、撮影画像の撮影モードに関する情報とに基づいて、再生対象画像を絞り込む。具体的には、ステップＳＰ１２（図５）において、表示制御部４７は、ステップＳＰ１１で求められた撮影モードダイヤル２１の位置と、メモリカード９０内の撮影画像のタグ情報ＴＧに格納された「撮影モードに関する情報」とに基づいて、再生対象画像を絞り込めばよい。
【００７４】
このような再生手法を用いることによれば、第１実施形態と同様の効果を得ることができる。なお、第２実施形態においては、ファイル名は、上記第１実施形態と同様の命名規則によって撮影モードに応じて付与されるようにしてもよく、あるいは、撮影モードに依存しない命名規則によって付与されるようにしてもよい。
【００７５】
特に、第２実施形態の再生手法によれば、タグ情報ＴＧに含まれる「撮影モードに関する情報」に基づいて再生対象画像が決定されるので、ファイル名が操作者によって意図的に変更された場合でも影響を受けない。
【００７６】
＜３．第３実施形態＞
さらに、上記第１実施形態においては、撮像装置１Ａが撮影画像ファイルを日付別に異なるフォルダに分類して格納する場合（あるいは単一のフォルダ内に全ての撮影画像ファイルを格納する場合）を例示したが、これに限定されず、撮影モード別に異なるフォルダに分類して格納する場合にも上記の思想を適用することが可能である。
【００７７】
この第３実施形態においては、フォルダ名に含まれる「撮影モードに関する情報」を用いて、所望の撮影画像のみを的確に表示する場合を例示する。なお、以下では、説明の重複を回避するため、第１実施形態との相違点を中心に説明する。
【００７８】
図７は、この第３実施形態におけるメモリカード９０内のフォルダ構成等を示す図である。図７においては、フォルダ「DCIM」の下に、複数のフォルダ「100KMAUT」，「101KMPTR」，「102KMSPR」，「103KMLND」，...，「124KMSNS」，「125KMNIT」，「126KMPXP」，「127KMAXP」，「128KMSXP」，「129KMMXP」，「130KMMOV」，...，「234KMPTR」...が作成されている。そして、これらの複数のフォルダ内において、各撮影モードに応じた撮影画像が格納されている。各フォルダのフォルダ名の６文字目からの３文字は、そのフォルダへの格納対象となる撮影画像の撮影モードを示している。
【００７９】
具体的には、フォルダ「100KMAUT」には、「フルオートモード」による撮影画像（「PICT0001.JPG」，「PICT0002.JPG」，「PICT0003.JPG」等）のみが格納されている。また、フォルダ「130KMMOV」には、「動画撮影モード」による撮影画像（「PICT1234.MOV」，「PICT1235.MOV」等）のみが格納されている。他のフォルダについても同様であり、各フォルダ（「101KMPTR」，「102KMSPR」，「103KMLND」，「124KMSNS」，「125KMNIT」，「126KMPXP」，「127KMAXP」，「128KMSXP」，「129KMMXP」，）には、それぞれ、対応する撮影モード（「ポートレートモード」、「スポーツモード」、「風景モード」、「夕景モード」、「夜景モード」、「Ｐ（プログラム）モード」、「Ａ（絞り優先）モード」、「Ｓ（シャッタスピード優先）モード」、「Ｍ（マニュアル）モード」）による撮影画像のみが格納されている。なお、１種類の撮影モードに対して複数のフォルダを作成し、当該１種類の撮影モードによる撮影画像を当該複数のフォルダのいずれかに格納するようにしてもよい。図７においては、「ポートレートモード」による撮影画像は、２つのフォルダ「101KMPTR」，「234KMPTR」のいずれかに格納されている場合が例示されている。
【００８０】
以上のように、１種類の撮影モードに対して少なくとも１つのフォルダが作成され、各撮影画像ファイルが撮影モード別に分類されて撮影モードごとに異なるフォルダに格納されている。
【００８１】
第３実施形態に係る撮像装置１Ｃは、このようなフォルダ分類を利用して、再生対象画像を絞り込む。より詳細には、各撮影画像の格納先のフォルダ名から読み出されて取得された「撮影モードに関する情報」と、画像再生表示の際における撮影モードダイヤル２１による撮影モードの設定状態とに基づいて、再生対象画像を絞り込む。
【００８２】
具体的には、まず、ステップＳＰ１１（図５）において、画像再生時点における撮影モードダイヤル２１の位置に応じた撮影モードが特定される。そして、ステップＳＰ１２（図５）において、撮像装置１Ｃの表示制御部４７は、ステップＳＰ１１で特定された撮影モードに対応するフォルダ内の画像のみを、再生対象画像として抽出する。これによれば、当該特定された撮影モードによる撮影画像のみを再生対象にするとともに、当該特定された撮影モード以外の撮影モードによる撮影画像を再生対象から除外することができる。
【００８３】
このようにして、撮像装置１Ｃの表示制御部４７は、画像再生表示の際における撮影モードダイヤル２１による撮影モードの設定状態と、撮影画像の撮影モードに関する情報とに基づいて、再生対象画像を絞り込むことが可能である。なお、この場合、撮影画像の「撮影モードに関する情報」は、撮像装置１Ｃによって、当該撮影画像の格納先フォルダのフォルダ名から取得されることになる。
【００８４】
＜４．第４実施形態＞
上記第１〜第３実施形態においては、撮影モードの設定に撮影モードダイヤル２１を用いる場合を例示したが、その他の操作部材等を用いるようにしてもよい。この第４実施形態においては、ＬＣＤに表示されるメニュー画面を用いて、撮影時および再生時の撮影モードに関する設定状態を変更する場合を例示する。なお、以下では、説明の重複を回避するため、第１実施形態との相違点を中心に説明する。
【００８５】
図８は、第４実施形態に係る撮像装置１Ｄを正面側からみた斜視図であり、図９は、撮像装置１Ｄを背面側からみた斜視図である。
【００８６】
図８および図９に示すように、撮像装置１Ｄは、撮影レンズ１０２、ＬＣＤ１３１、十字カーソルボタン１２２ａ〜１２２ｄ、決定ボタン１２３、メニューボタン１２４、切換レバー１２７、電源ボタン１２８、およびシャッタボタン１２９などを有している。ただし、撮像装置１Ｄは、撮影モードダイヤル２１（図１参照）を有していない。撮影モードの設定状態は、次述するメニュー画面Ｇ１等を用いて変更される。
【００８７】
図１０は、撮影モード選択用のメニュー画面Ｇ１を示す図である。このメニュー画面Ｇ１は、十字カーソルボタン１２２ａ〜１２２ｄ、決定ボタン１２３、およびメニューボタン１２４を用いた操作によって、ＬＣＤ１３１に表示される。
【００８８】
このメニュー画面Ｇ１には、１１種類の絵文字５０〜６０が表示されている。操作者は、十字カーソルボタン１２２ａ〜１２２ｄを操作してカーソルＣＲを上下左右に移動させ、所望の絵文字の上にカーソルＣＲを重ねた状態で決定ボタン１２３を押下することによって、所望の絵文字を選択することができる。
【００８９】
上記のメニュー画面Ｇ１は、撮影時の撮影モードに関する設定変更操作に用いられるとともに、再生時の撮影モードに関する設定変更操作にも用いられる。すなわち、上記のメニュー画面Ｇ１は、撮影時および再生時において共通に用いられる。なお、撮像装置１Ｄにおいては、切換レバー１２７の位置に応じて、撮影状態と再生状態とが切り換えられる。
【００９０】
具体的には、切換レバー１２７によって「撮影状態」に設定されて、メニューボタン１２４が押下されると、撮影用のメニュー画面Ｇ２（不図示）がＬＣＤ１３１に表示される。メニュー画面Ｇ２に表示された複数の項目のうち「モード設定」項目が操作者によって選択されると、撮像装置１Ｄはメニュー画面Ｇ１をＬＣＤ１３１に表示する。そして、操作者が所望の項目（たとえば絵文字５２）を選択すると、撮像装置１Ｄは、対応する撮影モード（たとえば、「スポーツモード」）を設定する。このように、撮影状態において表示されたメニュー画面Ｇ１は、撮影時の撮影モードを決定するための設定内容変更画面として機能する。
【００９１】
一方、切換レバー１２７によって「再生状態」に設定されて、メニューボタン１２４が押下されると、再生用のメニュー画面Ｇ３（不図示）がＬＣＤ１３１に表示される。メニュー画面Ｇ３に表示された複数の項目のうち「モード設定」項目が操作者によって選択されると、撮像装置１Ｄはメニュー画面Ｇ１をＬＣＤ１３１に表示する。そして、操作者が、十字カーソルボタン１２２ａ〜１２２ｄおよび決定ボタン１２３を用いて、所望の項目（たとえば絵文字５５）を選択すると、撮像装置１Ｄは、画像再生表示の際における絞り込み条件としての「撮影モード」を、当該所望の項目に対応する撮影モード（たとえば、「夜景モード」）に決定する。このように、再生状態において表示されたメニュー画面Ｇ１は、画像再生表示の際における絞り込み条件としての「撮影モード」を決定する画面として機能する。
【００９２】
そして、このような設定操作の後においては、操作者によって選択された所望の撮影モードによる撮影画像が再生対象として選択され、表示画像として順次にＬＣＤ１３１に表示される。一方、その他の撮影モードによる撮影画像は、再生対象から除外される。このため、メモリカード９０に格納された複数の撮影画像の中から、所望の撮影モードによる撮影画像のみを選択して的確に表示させることができる。なお、各撮影画像ファイルの格納時および読出時の具体的態様としては、上記第１〜第３実施形態のいずれの態様を用いてもよい。
【００９３】
以上のようにして、画像再生表示の際における、メニュー画面Ｇ１、十字カーソルボタン１２２ａ〜１２２ｄおよび決定ボタン１２３等による撮影モードの設定状態と、撮影画像の撮影モードに関する情報とに基づいて、ＬＣＤ１３１における再生対象画像が絞り込まれることになる。
【００９４】
＜５．その他＞
以上、この発明の実施の形態について説明したが、この発明は上記説明した内容のものに限定されるものではない。
【００９５】
たとえば、上記第１実施形態から第３実施形態においては、異なる画像保存手法に対応する各再生手法をそれぞれ別個の撮像装置に適用する場合を例示したが、これに限定されない。
【００９６】
具体的には、１つの撮像装置において、画像保存方法を複数の選択肢の中から選択できるようにしてもよい。詳細には、所定のメニュー画面（不図示）を用いてこれら３種類の画像保存手法のうちのいずれかを選択可能となるように構成しておき、選択された画像保存手法に対応する再生手法を自動的に適用するようにしてもよい。
【００９７】
あるいは、画像保存手法として、第１実施形態の画像保存手法（図４参照）と第２実施形態の画像保存手法（図６参照）とを同時に採用するようにしてもよい。また、この場合には、第１実施形態の再生手法（ファイル名を用いた絞り込み動作）を適用するようにしてもよく、あるいは、第２実施形態の再生手法（タグ情報を用いた絞り込み動作）を適用するようにしてもよい。同様に、画像保存手法として、第３実施形態の画像保存手法（図７参照）と第２実施形態の画像保存手法とを同時に採用するようにしてもよい。この場合には、第３実施形態の再生手法（フォルダ名を用いた絞り込み動作）を適用するようにしてもよく、あるいは、第２実施形態の再生手法を適用するようにしてもよい。
【００９８】
また、撮影時には、第２実施形態のようにタグ情報ＴＧに「撮影モードに関する情報」を含ませておき、撮像装置１Ｂから外部コンピュータ９１（例えば、パーソナルコンピュータ）への転送時において、第１実施形態のような命名規則によってファイル名等を変更するようにしてもよい。より詳細には、転送時点において常にファイル名を変更するようにしてもよいし、操作者からの明示の指示が与えられたときのみファイル名を変更して転送するようにしてもよい。
【００９９】
あるいは、外部コンピュータ９１への転送後において、外部コンピュータ９１で実行される所定のソフトウエアを用いて、第１実施形態のような命名規則によってファイル名等を変更し、その後、再び撮像装置１Ａ等によって名称変更後の撮影画像ファイルを再生する際に、第１実施形態と同様の再生手法を適用するようにしてもよい。
【０１００】
また、上記各実施形態では、画像再生表示の際に撮影モードダイヤル２１等によって「フルオートモード」が指定されるときには、オートモードで撮影された画像のみを表示する場合を例示していたが、これに限定されない。たとえば、再生時において撮影モードダイヤル２１によって「フルオートモード」が指定されるときには、撮影モードに依存せず全ての撮影画像を再生対象とするようにしてもよい。これによれば、撮影モードダイヤル２１を「フルオートモード」に合わせるという簡単な操作によって、撮影モードに依存しない従前の表示態様による表示を行うことも可能になる。
【０１０１】
さらに、上記各実施形態では、撮影モードダイヤル２１に応じた画像を１枚ずつＬＣＤ３１に順次に表示する場合を例示しているが、これに限定されず、撮影モードダイヤル２１に応じた複数の撮影画像をＬＣＤ３１に同時表示（マルチ表示）するようにしてもよい。
【０１０２】
また、上記各実施形態においては、デジタルスチルカメラに上記思想を適用する場合を例示しているが、これに限定されず、デジタルビデオカメラ、あるいは撮像機能を有する携帯電話等の撮像装置に上記思想を適用するようにしてもよい。
【図面の簡単な説明】
【０１０３】
【図１】第１実施形態に係る撮像装置を示す斜視図である。
【図２】撮像装置の内部機能を示すブロック図である。
【図３】撮影モードダイヤルを示す上面図である。
【図４】メモリカード内のフォルダ構成等を示す図である。
【図５】再生動作に関するフローチャートである。
【図６】撮影画像ファイルの構成を概念的に示す図である。
【図７】第３実施形態におけるメモリカード内のフォルダ構成等を示す図である。
【図８】撮像装置を正面側からみた斜視図である。
【図９】撮像装置を背面側からみた斜視図である。
【図１０】撮影モード選択用のメニュー画面を示す図である。
【符号の説明】
【０１０４】
１Ａ〜１Ｄ  撮像装置
２  撮影レンズ
２１  撮影モードダイヤル
２２ａ〜２２ｄ，１２２ａ〜１２２ｄ  十字カーソルボタン
２２ｅ，１２３  決定ボタン
２４，１２４  メニューボタン
２７，１２７  切換レバー
２８，１２８  電源ボタン
２９，１２９  シャッタボタン
３１，１３１  ＬＣＤ
５０〜６０  絵文字
【図１】
2006270332.tif 000003
【図２】
2006270332.tif 000004
【図３】
2006270332.tif 000005
【図４】
2006270332.tif 000006
【図５】
2006270332.tif 000007
【図６】
2006270332.tif 000008
【図７】
2006270332.tif 000009
【図８】
2006270332.tif 000010
【図９】
2006270332.tif 000011
【図１０】
2006270332.tif 000012